(57)【特許請求の範囲】
【請求項１】
所定の電力を蓄電可能な第１容量性負荷を有し、外部電圧を用いて所定の第１電源電圧を生成する第１電源部と、
前記第１容量性負荷に蓄電可能な電力よりも大きい電力を蓄電可能な第２容量性負荷を有し、前記外部電圧を用いて前記第１電源電圧よりも大きい第２電源電圧を生成する第２電源部と、
前記第１電源電圧を用いて動作する第１制御部と、
前記第２電源電圧を用いて動作する第２制御部と、
前記第１電源部の出力電圧が前記第１電源電圧よりも小さくなると、前記第１制御部をリセットさせ、当該リセット時点から、前記第２容量性負荷に蓄電された電力によって前記第２制御部を動作させることが可能な時間として予め定められた制限時間が経過したときに、前記第１制御部のリセットを解除させる電源監視部と、
前記電源監視部が前記第１制御部をリセットさせるときに前記第２電源部を停止させ、前記電源監視部が前記第１制御部のリセットを解除させるときに前記第２電源部を動作させる追加制御部と、
を備える電源装置。
【請求項２】
前記電源監視部は、前記第１制御部を動作させる場合にハイレベルのリセット信号を前記第１制御部及び前記追加制御部へ出力し、前記第１制御部をリセットさせる場合にローレベルのリセット信号を前記第１制御部及び前記追加制御部へ出力し、
前記追加制御部は、
入力された前記リセット信号のレベルを反転させるＮＯＴゲートと、
前記電源監視部がローレベルの前記リセット信号を出力した時点から少なくとも前記制限時間が経過するまでの間、入力された前記リセット信号がハイレベルの状態を維持するように減衰させるＲＣ回路と、
前記ＮＯＴゲート及び前記ＲＣ回路から出力された信号が共にハイレベルの場合にのみ、ローレベルの信号を前記第２電源部へ出力するＮＡＮＤゲートと、
を備え、
前記第２電源部は、前記ＮＡＮＤゲートの出力信号がローレベルを示す場合に停止する請求項１に記載の電源装置。
【請求項３】
前記第１制御部は、前記第２電源部を動作させる場合にはハイレベルのコントロール信号を前記第２電源部へ出力し、前記第２電源部を停止させる場合にはローレベルのコントロール信号を前記第２電源部へ出力し、
前記第２電源部は、前記コントロール信号又は前記ＮＡＮＤゲートの出力信号がローレベルを示す場合に停止する請求項２に記載の電源装置。
【請求項４】
前記第１制御部は、前記第２電源部を動作させるか停止させるかを切り替え、
前記第２電源部は、前記第１制御部及び前記追加制御部のいずれかが前記第２電源部を停止させる信号を出力したときに停止する請求項１又は２に記載の電源装置。
【請求項５】
請求項１から４の何れか一項に記載の電源装置を備える電子機器。
【請求項６】
請求項１から４の何れか一項に記載の電源装置を備える画像形成装置。
【発明の詳細な説明】
【技術分野】
【０００１】
本発明は、電源装置、電子機器及び画像形成装置に関し、特に、各電源電圧を用いて動作する制御部をリセットする技術に関する。
【背景技術】
【０００２】
従来から、商用交流電源から供給される交流電源電圧を用いて、複数の制御回路に供給する電源電圧を生成する低圧電源部を備えた電源装置が知られている。また、複数の電源部を低圧電源部に備えるようにし、各制御回路に供給する電源電圧を各電源部によって個別に生成する技術が知られている。例えば、下記特許文献１には、複数のＰＣＢ（Ｐｒｉｎｔｅｄ  Ｃｉｒｃｕｉｔ  Ｂｏｒｄ）を備えた伝送装置において、外部から供給される一次側電源を用いて二次側電源を供給するオンボード電源を、各ＰＣＢに対して個別に設ける技術が記載されている。
【０００３】
このような低圧電源部は、例えば図５に示すように、制御回路ＩＣ１の動作に用いる電源電圧Ｖａを商用交流電源（ＡＣ電源）を用いて生成する省エネ電源部と、制御回路ＩＣ２の動作に用いる電源電圧ＶｂをＡＣ電源を用いて生成する大出力電源部と、を備えて構成される。このため、例えば、制御回路ＩＣ２を動作させる必要がない場合に、制御回路ＩＣ１によって大出力電源部を停止させる指示を示すコントロール信号を出力させ、大出力電源部だけ停止させるように構成することができる。これにより、不必要な電源部のみを停止し、消費電力を抑制することができる。
【０００４】
このような電源装置では、落雷等に起因して、外部から供給されるＡＣ電源が瞬間的に遮断（瞬断）された場合、省エネ電源部及び大出力電源部は電源電圧を生成することができなくなる。その結果、省エネ電源部及び大出力電源部は、暫くの間、それぞれが内部に有する容量性負荷に蓄電された電力によって制御回路ＩＣ１，ＩＣ２を動作させることになる。
【０００５】
例えば図６に示すように、ＡＣ電源が遮断される時間が短い場合（図６における瞬停時間Ｔ１の場合）、ＡＣ電源の供給が遮断されている間、省エネ電源部及び大出力電源部は、それぞれが内部に有する容量性負荷に蓄電された電力を供給して、制御回路ＩＣ１，ＩＣ２を停止させずに動作させ続けることができる。このため、ＡＣ電源の供給が再開されたとき、制御回路ＩＣ１，ＩＣ２は停止することなく動作を継続しているので、２つの制御回路ＩＣ１，ＩＣ２の間で動作に不整合は発生しないと考えられる。
【０００６】
一方、ＡＣ電源が遮断される時間が長い場合（図６における瞬停時間Ｔ３の場合）、ＡＣ電源の供給が遮断されている間、省エネ電源部及び大出力電源部は、それぞれが内部に有する容量性負荷に蓄電された電力を全て放電してしまい、制御回路ＩＣ１，ＩＣ２を動作させることができなくなる。つまり、ＡＣ電源の供給が遮断されている間に、制御回路ＩＣ１，ＩＣ２は共に停止する。このため、ＡＣ電源の供給が再開されたとき、制御回路ＩＣ１，ＩＣ２は共に停止された状態から動作を開始することになり、２つの制御回路ＩＣ１，ＩＣ２の間で動作に不整合は発生しないと考えられる。
【先行技術文献】
【特許文献】
【０００７】
【特許文献１】特開２００７−２７４７９５号公報
【発明の概要】
【発明が解決しようとする課題】
【０００８】
しかし、ＡＣ電源が遮断される時間によっては、ＡＣ電源の供給が遮断されている間に、省エネ電源部は、内部に有する容量性負荷に蓄電された電力を全て放電し、制御回路ＩＣ１を動作させることができなくなる一方、大出力電源部は、内部に有する容量性負荷に蓄電された電力が大きいために、制御回路ＩＣ２の動作を継続させることができる場合がある（図６における瞬停時間Ｔ２の場合）。この場合、ＡＣ電源の供給が再開されたとき、制御回路ＩＣ１は停止した状態から動作を開始するが、制御回路ＩＣ２は停止せずに動作を継続しているので、２つの制御回路ＩＣ１，ＩＣ２の間で動作に不整合が生じる虞がある。
【０００９】
本発明は、上記の問題を解決するためになされたもので、外部電圧の供給が遮断された後、外部電圧の供給が再開された場合に、各制御部の間で動作に不整合を生じさせる虞を低減することができる電源装置、電子機器及び画像形成装置を提供することを目的とする。
【課題を解決するための手段】
【００１０】
本発明による電源装置は、所定の電力を蓄電可能な第１容量性負荷を有し、外部電圧を用いて所定の第１電源電圧を生成する第１電源部と、前記第１容量性負荷に蓄電可能な電力よりも大きい電力を蓄電可能な第２容量性負荷を有し、前記外部電圧を用いて前記第１電源電圧よりも大きい第２電源電圧を生成する第２電源部と、前記第１電源電圧を用いて動作する第１制御部と、前記第２電源電圧を用いて動作する第２制御部と、前記第１電源部の出力電圧が前記第１電源電圧よりも小さくなると、前記第１制御部をリセットさせ、当該リセット時点から、前記第２容量性負荷に蓄電された電力によって前記第２制御部を動作させることが可能な時間として予め定められた制限時間が経過したときに、前記第１制御部のリセットを解除させる電源監視部と、前記電源監視部が前記第１制御部をリセットさせるときに前記第２電源部を停止させ、前記電源監視部が前記第１制御部のリセットを解除させるときに前記第２電源部を動作させる追加制御部と、を備える。
【００１１】
落雷等によって外部電圧の供給が遮断された場合、第１電源部は第１電源電圧を生成できなくなり、第１容量性負荷に蓄電された電力で第１制御部を動作させることになる。同様に、第２電源部は第２電源電圧を生成できなくなり、第２容量性負荷に蓄電された電力で第２制御部を動作させることになる。しかし、外部電圧の供給が遮断される期間によっては、当該遮断期間中に、第１容量性負荷に蓄電された電力が全て放電され、第１制御部を動作させることができなくなる一方、第２容量性負荷に蓄電された電力で第２制御部の動作を継続させることができる場合がある。
【００１２】
しかし、本構成によれば、外部電圧の供給が遮断され、第１電源部の出力電圧が第１電源電圧よりも小さくなると、電源監視部によって第１制御部がリセットされる。また、第１制御部のリセットに合わせて、追加制御部によって第２電源部が停止される。つまり、第１制御部のリセット時点から制限時間が経過するまでの間に外部電圧の供給が再開されたとしても、第２電源部を停止させて、第２電源電圧の生成動作を停止させることができる。
【００１３】
これによって、第１制御部のリセット時点から第２容量性負荷に蓄電された電力で第２制御部を動作させることが可能な時間として予め定められた制限時間が経過したときには、第２容量性負荷に蓄電された電力で第２制御部を動作できないようにし、第２制御部を停止させることができる。
【００１４】
そして、第１制御部のリセット時点から制限時間が経過したときには、電源監視部によって第１制御部のリセットが解除され、追加制御部によって第２電源部が動作される。このため、外部電圧の供給が再開されると、第１電源部は第１電源電圧を生成し、第２電源部は第２電源電圧を生成するので、第１制御部及び第２制御部は共に動作を開始することができる。このとき、第１制御部は、一旦リセットされた後に動作を開始し、第２制御部は、一旦停止した後に動作を開始することになる。
【００１５】
このように、本構成によれば、外部電圧の供給が遮断され、第１電源部の出力電圧が第１電源電圧よりも小さくなると、第１制御部及び第２制御部を共にリセットした状態にすることができるので、その後、外部電圧の供給が再開され、第１制御部及び第２制御部が動作を開始したときに、第１制御部と第２制御部との間で動作に不整合が生じる虞を低減することができる。
【００１６】
また、前記電源監視部は、前記第１制御部を動作させる場合にハイレベルのリセット信号を前記第１制御部及び前記追加制御部へ出力し、前記第１制御部をリセットさせる場合にローレベルのリセット信号を前記第１制御部及び前記追加制御部へ出力し、前記追加制御部は、入力された前記リセット信号のレベルを反転させるＮＯＴゲートと、前記電源監視部がローレベルの前記リセット信号を出力した時点から少なくとも前記制限時間が経過するまでの間、入力された前記リセット信号がハイレベルの状態を維持するように減衰させるＲＣ回路と、前記ＮＯＴゲート及び前記ＲＣ回路から出力された信号が共にハイレベルの場合にのみ、ローレベルの信号を前記第２電源部へ出力するＮＡＮＤゲートと、を備え、前記第２電源部は、前記ＮＡＮＤゲートの出力信号がローレベルを示す場合に停止することが好ましい。
【００１７】
本構成によれば、電源監視部がローレベルのリセット信号を出力した時点から制限時間が経過するまでの間、つまり、第１制御部がリセットされた時点から、第２制御部が停止すると考えられるまでの期間、ＲＣ回路により、追加制御部に入力されたローレベルのリセット信号がハイレベルの状態を維持するように減衰される。このため、当該期間中は、ＮＯＴゲートから出力されるリセット信号を反転したローレベルの信号と、ＲＣ回路から出力されるハイレベルの信号とが、ＮＡＮＤゲートに入力される。これにより、当該期間中は、ＮＡＮＤゲートによってローレベルの信号が第２電源部へ出力されることとなる。その結果、当該期間中、第２電源部を停止させることができる。
【００１８】
したがって、当該期間中に外部電圧の供給が再開されたとしても、第２電源部を停止させて、第２電源電圧の生成動作を停止させることができる。これによって、当該期間が経過したときには、第２容量性負荷に蓄電された電力で第２制御部を動作できないようにし、第２制御部を停止させることができる。つまり、当該期間が経過したときに第１制御部及び第２制御部を共にリセットした状態にすることができる。
【００１９】
また、本構成によれば、ＮＯＴゲートとＲＣ回路とＮＡＮＤゲートとを備えて、追加制御部を簡素化して構成することができるので、追加制御部を構成するのに要するコストを低減することができる。
【００２０】
また、前記第１制御部は、前記第２電源部を動作させる場合にはハイレベルのコントロール信号を前記第２電源部へ出力し、前記第２電源部を停止させる場合にはローレベルのコントロール信号を前記第２電源部へ出力し、前記第２電源部は、前記コントロール信号又は前記ＮＡＮＤゲートの出力信号がローレベルを示す場合に停止することが好ましい。
【００２１】
本構成によれば、コントロール信号及びＮＡＮＤゲートの出力信号のうち、何れか一方の信号を用いて、第２電源部を停止させることができる。このため、外部電圧の供給が遮断されていず、第１電源部から第１電源電圧が出力されている場合に、第１制御部は、ローレベルのコントロール信号を出力することにより、第２電源部を停止させることができる。したがって、例えば、第２制御部を動作させる必要がないときに、第１制御部によって第２電源部を停止させることにより、第２電源部における消費電力を低減することができる。
【００２２】
または、前記第１制御部は、前記第２電源部を動作させるか停止させるかを切り替え、前記第２電源部は、前記第１制御部及び前記追加制御部のいずれかが前記第２電源部を停止させる信号を出力したときに停止することが好ましい。
【００２３】
本構成によれば、外部電圧の供給が遮断されていず、第１電源部から第１電源電圧が出力されている場合に、第１制御部は、第２電源部を停止させることができる。したがって、例えば、第２制御部を動作させる必要がないときに、第１電源部によって第２電源部を停止させることにより、第２電源部における消費電力を低減することができる。
【００２４】
本発明による電子機器は、前記電源装置を備える。
【００２５】
本発明による画像形成装置は、前記電源装置を備える。
【発明の効果】
【００２６】
この発明によれば、外部電圧の供給が遮断された後、外部電圧の供給が再開された場合に、各制御部の間で動作に不整合を生じさせる虞を低減することができる電源装置、電子機器及び画像形成装置を提供することができる。
【図面の簡単な説明】
【００２７】
【図１】本発明の画像形成装置の一実施形態に係るプリンターの概略構造図である。
【図２】本発明の電源装置の一実施形態に係る電源装置の電気的構成を示すブロック図である。
【図３】追加制御部の詳細な構成を示した電源装置の回路図である。
【図４】商用交流電圧の時系列変化に応じて電源装置における各部の入出力信号が時系列に変化する態様を示すタイムチャートである。
【図５】従来の電源装置の電気的構成の一例を示すブロック図である。
【図６】従来の電源装置において、外部電圧からの電力の供給が遮断された場合に各電源部から供給される電力の変化を示す説明図である。
【発明を実施するための形態】
【００２８】
以下、本発明に係る電源装置、これを備えた画像形成装置について説明する。尚、本実施形態では、画像形成装置としてプリンター１を例に説明するが、画像形成装置は、コピー機、ファクシミリ装置、またこれらの複数の機能を備えた複合機であってもよい。図１は、本発明の画像形成装置の一実施形態に係るプリンター１の概略構造図である。図１に示すように、プリンター１は、画像形成部８０、定着部７０、及び操作部５０を備えている。
【００２９】
画像形成部８０は、感光体ドラム８１、帯電器８２、露光器８３、現像器８４、及び転写ローラー８５を備えている。
【００３０】
感光体ドラム８１は、主走査方向（図１における紙面表裏方向）を長尺とする円筒状の部材であり、不図示のモーターからの駆動力を受けて、図１における時計回りの方向に回転する。帯電器８２は、感光体ドラム８１の表面を略一様に帯電する。
【００３１】
露光器８３は、レーザーダイオード等の光源を備え、帯電器８２によって略一様に帯電された感光体ドラム８１の周面に対して、画像データに応じた光信号を照射して、画像データの静電潜像を形成する。画像データは、例えば、ネットワークを介してプリンター１に接続されたパーソナルコンピューター等の外部装置から送信された画像データを、不図示のネットワークインターフェイス回路を用いて受信することによって取得される。
【００３２】
現像器８４は、トナーを収納するトナーコンテナを備え、現像バイアス電圧を印加することで感光体ドラム８１と現像器８４との間に電位差を生じさせることにより、静電潜像が形成された感光体ドラム８１の表面にトナーを供給してトナー像を形成する。転写ローラー８５は、感光体ドラム８１と対向する位置に配設されている。転写ローラー８５は、感光体ドラム８１に形成されたトナー像を搬送路Ｐに沿って搬送されてきた用紙に転写する。
【００３３】
定着部７０は、ヒーター等を内蔵する定着ローラー７００及び定着ローラー７００と対向する位置に設けられた加圧ローラー７０１を備え、トナー像が形成された用紙を加熱搬送することにより、用紙に形成されたトナー像を定着させる。尚、加圧ローラー７０１は、不図示のモーターからの駆動力を受けて回転し、定着ローラー７００は、加圧ローラー７０１が回転することによって従動回転する。
【００３４】
操作部５０は、情報を表示するための表示部５１と、ユーザーによって各種指示の操作を行わせるための操作キー部５２と、を備えている。表示部５１は、例えばタッチパネル機能を有する液晶ディスプレイ等であり、各種情報を表示する。操作キー部５２は、例えばユーザーが印刷実行指示を入力するためのスタートキーや、印刷部数等を入力するためのテンキー等の各種キーを含む。
【００３５】
次に、画像形成部８０による画像形成動作について簡単に説明する。先ず、帯電器８２により感光体ドラム８１の表面が略均一に帯電される。そして、帯電された感光体ドラム８１の表面が、露光器８３により露光され、用紙に形成する対象の画像の静電潜像が感光体ドラム８１の表面に形成される。この静電潜像が、現像器８４により感光体ドラム８１の表面にトナーを付着させることにより顕画化され、転写ローラー８５により感光体ドラム８１の表面のトナー像が用紙に転写される。この画像形成部８０による画像形成動作が行われた後、定着部７０により、用紙に転写されたトナー像が固着される。
【００３６】
また、プリンター１は、筐体内部に電源装置９０を備えている。図２は、本発明の電源装置の一実施形態に係る電源装置９０の電気的構成を示すブロック図である。
【００３７】
図２に示すように、電源装置９０は、商用交流電源ＡＣと、第１電源部９１と、第２電源部９２と、第１制御部１０と、第１電源監視部１１（電源監視部）と、第２制御部２０と、第２電源監視部２１と、追加制御部３０と、を備えている。
【００３８】
商用交流電源ＡＣは、商用交流電圧（外部電圧）を不図示のメインスイッチを介して、第１電源部９１及び第２電源部９２に供給する。つまり、メインスイッチがオンにされると、第１電源部９１及び第２電源部９２への商用交流電圧の供給が開始され、メインスイッチがオフにされると、第１電源部９１及び第２電源部９２への商用交流電圧の供給が遮断される。
【００３９】
第１電源部９１は、不図示のＡＣ／ＤＣコンバーターと、第１容量性負荷９１０と、を備えている。ＡＣ／ＤＣコンバーターは、商用交流電源ＡＣから供給される商用交流電圧を用いて、所定の大きさの直流電圧を生成する。以下、第１電源部９１により、ＡＣ／ＤＣコンバーターを用いて生成される直流電圧を第１電源電圧Ｖ１と示す。第１容量性負荷９１０は、例えば、コンデンサーによって構成されている。第１容量性負荷９１０は、停電等によって商用交流電源ＡＣから商用交流電圧の供給が遮断された場合にも、所定時間、直流電圧を供給可能なように、予め定められた電力を蓄電可能に構成されている。
【００４０】
第２電源部９２は、不図示のＡＣ／ＤＣコンバーターと、第２容量性負荷９２０と、を備えている。ＡＣ／ＤＣコンバーターは、商用交流電源ＡＣから供給される商用交流電圧を用いて、第１電源電圧Ｖ１よりも大きい直流電圧を生成する。以下、第２電源部９２により、ＡＣ／ＤＣコンバーターを用いて生成される直流電圧を第２電源電圧Ｖ２と示す。第２容量性負荷９２０は、例えば、コンデンサーによって構成されている。第２容量性負荷９２０は、停電等によって商用交流電源ＡＣから商用交流電圧の供給が遮断された場合にも、所定時間、直流電圧を供給可能なように、第１容量性負荷９１０に蓄電可能な電力よりも大きい電力を蓄電可能に構成されている。
【００４１】
第１制御部１０は、第１電源部９１により生成された第１電源電圧Ｖ１を用いて動作する。第１制御部１０は、例えば、所定の演算処理を実行する不図示のＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不図示の不揮発性メモリーと、データを一時的に記憶するための不図示のＲＡＭ（Ｄｙｎａｍｉｃ  Ｒａｎｄｏｍ  Ａｃｃｅｓｓ  Ｍｅｍｏｒｙ）と、これらの周辺回路等とを備えている。
【００４２】
第１制御部１０は、不揮発性メモリーに記憶された制御プログラムをＣＰＵにより実行させることによって、例えば、操作キー部５２の動作及び不図示のネットワークインターフェイス回路の動作を制御して、画像データを外部のコンピューターに送信するための操作キー部５２の操作指示を受け付けた後、ネットワークインターフェイス回路によって画像データを外部のコンピューターに送信させる。
【００４３】
また、第１制御部１０は、操作キー部５２の操作指示を受け付けないまま所定時間が経過した場合や、ネットワークインターフェイス回路によって外部のコンピューターからプリンター１の動作指示を示す信号が受信されないまま所定時間が経過した場合等に、第２電源部９２を停止させるべく、ローレベルのコントロール信号ＣＴＬを第２電源部９２へ出力する。
【００４４】
尚、第２電源部９２は、ローレベルのコントロール信号ＣＴＬを受信していない間は、ＡＣ／ＤＣコンバーターを動作させ、第２電源電圧Ｖ２を生成させるが、ローレベルのコントロール信号ＣＴＬを受信すると、ＡＣ／ＤＣコンバーターを停止させ、第２電源電圧Ｖ２の生成動作を停止する。
【００４５】
これによって、第１制御部１０は、操作キー部５２の操作指示を受け付けないまま所定時間が経過した場合や、ネットワークインターフェイス回路によって外部のコンピューターからプリンター１の動作指示を示す信号が受信されないまま所定時間が経過した場合等、後述する第２制御部２０を動作させる必要がないと考えられるときに、第２電源部９２における消費電力を低減することができる。
【００４６】
第１電源監視部１１は、第１電源部９１により生成された第１電源電圧Ｖ１を用いて動作する。第１電源監視部１１は、第１電源部９１の出力電圧を監視し、当該出力電圧が第１電源電圧Ｖ１よりも小さくなると、第１制御部１０をリセットさせるべく、ローレベルのリセット信号ＲＳ１を第１制御部１０へ出力する。
【００４７】
また、第１電源監視部１１は、第１制御部１０をリセットさせた時点から、第２容量性負荷９２０に蓄電された電力によって第２制御部２０を動作させることが可能な時間として予め定められた制限時間が経過したときには、第１制御部１０のリセットを解除させるべく、ハイレベルのリセット信号ＲＳ１を第１制御部１０へ出力する。
【００４８】
尚、第１電源監視部１１は、リセット信号ＲＳ１を第１制御部１０に出力する際、同じレベルのリセット信号ＲＳ１を追加制御部３０へも出力する。
【００４９】
ここで、第１制御部１０をリセットさせるとは、第１制御部１０の状態を初期状態に戻すことを示す。第１制御部１０は、第１制御部１０をリセットさせることを示すローレベルのリセット信号ＲＳ１が入力されると、制御プログラムを不揮発性メモリーから読み出してＲＡＭに記憶する。これによって、第１制御部１０は、初期状態に戻る。
【００５０】
一方、第１制御部１０のリセットを解除させるとは、第１制御部１０をＲＡＭに記憶された制御プログラムに従って動作させることを示す。第１制御部１０は、第１制御部１０のリセットを解除させることを示すハイレベルのリセット信号ＲＳ１が入力されると、ＣＰＵにより、ＲＡＭに記憶されている制御プログラムを実行させる。これによって、第１制御部１０は、操作キー部５２やネットワークインターフェイス回路の動作の制御を開始する。
【００５１】
第２制御部２０は、第２電源部９２により生成された第２電源電圧Ｖ２を用いて動作する。第２制御部２０は、例えば、所定の演算処理を実行する不図示のＣＰＵと、所定の制御プログラムが記憶されたＥＥＰＲＯＭ等の不図示の不揮発性メモリーと、データを一時的に記憶するための不図示のＲＡＭと、これらの周辺回路等とを備えている。
【００５２】
第２制御部２０は、不揮発性メモリーに記憶された制御プログラムをＣＰＵにより実行させることによって、例えば、画像形成部８０の動作及び表示部５１の動作を制御して、表示部５１に各種情報を表示させた後、画像形成部８０に画像形成動作を実行させる。
【００５３】
第２電源監視部２１は、第２電源部９２により生成された第２電源電圧Ｖ２を用いて動作する。第２電源監視部２１は、第２電源部９２の出力電圧を監視し、第２電源部９２の出力電圧が第２電源電圧Ｖ２よりも小さくなると、第２制御部２０をリセットさせるべく、ローレベルのリセット信号ＲＳ２を第２制御部２０へ出力する。
【００５４】
また、第２電源監視部２１は、第２電源部９２の出力電圧が第２電源電圧Ｖ２に安定するようになると、第２制御部２０のリセットを解除させるべく、ハイレベルのリセット信号ＲＳ２を第２制御部２０へ出力する。
【００５５】
ここで、第２制御部２０をリセットさせるとは、第２制御部２０の状態を初期状態に戻すことを示す。第２制御部２０は、第２制御部２０をリセットさせることを示すハイレベルのリセット信号ＲＳ２が入力されると、制御プログラムを不揮発性メモリーから読み出してＲＡＭに記憶する。これによって、第２制御部２０は、初期状態に戻る。
【００５６】
一方、第２制御部２０のリセットを解除させるとは、第２制御部２０をＲＡＭに記憶された制御プログラムに従って動作させることを示す。第２制御部２０は、第２制御部２０のリセットを解除させることを示すハイレベルのリセット信号ＲＳ２が入力されると、ＣＰＵにより、ＲＡＭに記憶されている制御プログラムを実行させる。これによって、第２制御部２０は、画像形成部８０や表示部５１の動作の制御を開始する。
【００５７】
追加制御部３０は、ローレベルのリセット信号ＲＳ１が入力されたとき、つまり、第１電源監視部１１が第１制御部１０をリセットさせるときは、第２電源部９２を停止させるべく、ローレベルのコントロール信号ＣＴＬを出力する。また、追加制御部３０は、ハイレベルのリセット信号ＲＳ１が入力されたとき、つまり、第１電源監視部１１が第１制御部１０のリセットを解除させるときは、第２電源部９２を動作させるべく、ハイレベルのコントロール信号ＣＴＬを出力する。
【００５８】
以下、図３を用いて追加制御部３０の詳細な構成について説明する。図３は、追加制御部３０の詳細な構成を示した電源装置９０の回路図である。
【００５９】
図３に示すように、追加制御部３０は、ＮＯＴゲート３１と、ＲＣ回路３２と、ＮＡＮＤゲート３３と、を備えている。
【００６０】
ＮＯＴゲート３１は、例えばシュミットトリガー機能を有するＮＯＴゲートで構成されている。ＮＯＴゲート３１にはハイレベル又はローレベルのリセット信号ＲＳ１が入力される。ＮＯＴゲート３１は、入力されたリセット信号ＲＳ１のチャタリングを防止しつつ、入力されたリセット信号ＲＳ１の信号レベルを反転する。尚、ＮＯＴゲート３１は、シュミットトリガー機能を有するＮＯＴゲートに限らず、閾値レベルが一定のＮＯＴゲートによって簡素化して構成してもよい。
【００６１】
ＲＣ回路３２は、ＮＯＴゲート３４〜３６と、抵抗３７と、コンデンサー３８とを備えている。
【００６２】
ＮＯＴゲート３４は、例えばシュミットトリガー機能を有するＮＯＴゲートで構成されている。ＮＯＴゲート３４には、ＮＯＴゲート３１によってリセット信号ＲＳ１の信号レベルが反転された信号（以下、リセット信号ＲＳ１の反転信号と示す）が入力される。ＮＯＴゲート３４は、リセット信号ＲＳ１の反転信号のチャタリングを除去しつつ、リセット信号ＲＳ１の反転信号の信号レベルを反転し、つまり、追加制御部３０に入力されたリセット信号ＲＳ１と同じレベルの信号を出力する。尚、ＮＯＴゲート３４は、シュミットトリガー機能を有するＮＯＴゲートに限らず、閾値レベルが一定のＮＯＴゲートによって簡素化して構成してもよい。
【００６３】
抵抗３７は、一端がＮＯＴゲート３４に接続され、他端がコンデンサー３８に接続されている。抵抗３７には、ＮＯＴゲート３４の出力信号、つまり、リセット信号ＲＳ１と同じ信号レベルの信号が入力される。コンデンサー３８は、抵抗３７に接続されている側とは反対側の一端がグランドに接続されている。これによって、抵抗３７とコンデンサー３８とが接続されているＢ点における信号のレベルは、抵抗３７の抵抗値とコンデンサー３８の静電容量によって定まる時定数に応じて滑らかに変化する。
【００６４】
ＮＯＴゲート３５は、例えばシュミットトリガー機能を有するＮＯＴゲートで構成されている。ＮＯＴゲート３５には、上記Ｂ点を通過した、滑らかに信号レベルが変化する信号が入力される。このため、ＮＯＴゲート３５は、シュミットトリガー機能における予め定められた２つの閾値レベルを用いて、入力信号の信号レベルが高い側の閾値レベルより高くなるとローレベルの信号を出力し、その後、入力信号の信号レベルが低い側の閾値レベルより低くなると、ハイレベルの信号を出力する。
【００６５】
ＮＯＴゲート３６は、例えばシュミットトリガー機能を有するＮＯＴゲートで構成されている。ＮＯＴゲート３６には、ＮＯＴゲート３５から出力されるハイレベル又はローレベルの信号が入力される。ＮＯＴゲート３６は、ＮＯＴゲート３５から出力されるハイレベル又はローレベルの信号のチャタリングを除去して、ＮＯＴゲート３５から出力されるハイレベル又はローレベルの信号の信号レベルを反転させる。
【００６６】
尚、ＮＯＴゲート３５、３６の何れか一方を閾値が一定のＮＯＴゲートで構成してもよい。
【００６７】
ＮＡＮＤゲート３３は、ＮＯＴゲート３１及びＲＣ回路３２から出力された信号が共にハイレベルの場合に、ローレベルのコントロール信号ＣＴＬを第２電源部９２へ出力する。また、ＮＡＮＤゲート３３は、ＮＯＴゲート３１及びＲＣ回路３２から出力された信号のうち、少なくとも１つの信号がハイレベルでない場合は、ハイレベルのコントロール信号ＣＴＬを第２電源部９２へ出力する。
【００６８】
また、ＮＡＮＤゲート３３から出力されるコントロール信号ＣＴＬの信号線と第１制御部１０から出力されるコントロール信号ＣＴＬの信号線は、バッファーＢ１、Ｂ２を用いてワイヤードＯＲ接続されている。つまり、第２電源部９２は、ＮＡＮＤゲート３３がローレベルのコントロール信号ＣＴＬを出力したとき、又は、第１制御部１０がローレベルのコントロール信号ＣＴＬを出力したときに停止する。
【００６９】
以下では、商用交流電源ＡＣから出力される商用交流電圧の時系列変化に応じて電源装置９０における各部の入出力信号が時系列に変化する態様について説明する。図４は、商用交流電圧の時系列変化に応じて電源装置９０における各部の入出力信号が時系列に変化する態様を示すタイムチャートである。
【００７０】
図４に示すように、商用交流電源ＡＣのメインスイッチがオンされると、商用交流電源ＡＣから商用交流電圧の出力が開始され、商用交流電源ＡＣから出力される商用交流電圧の実効値は次第に上昇する（時刻ｔ０）。尚、説明の便宜上、図４では、商用交流電源ＡＣの出力電圧を、商用交流電圧の実効値で示している。
【００７１】
商用交流電源ＡＣの出力電圧が実効値Ｖ０に安定すると（時刻ｔ１）、第１電源部９１は、商用交流電圧を用いて第１電源電圧Ｖ１の生成を開始する。これによって、第１電源部９１の出力電圧ＶＯ１は次第に上昇し、第１電源部９１から第１電源監視部１１、追加制御部３０、及び第１制御部１０へ電力が供給される。第１制御部１０は、第１電源部９１から電力が供給されると、制御プログラムを不揮発性メモリーから読み出してＲＡＭに記憶し、初期状態になる。
【００７２】
一方、ＮＯＴゲート３１は、初期状態にあるローレベルのリセット信号ＲＳ１を反転させて、ハイレベルの信号ＲＳ１を出力すべく、出力信号の信号レベルを次第に上昇させる。つまり、図３に示すＡ点（ＮＡＮＤゲート３３におけるＮＯＴゲート３１の出力信号の入力部）の信号ＳＡの信号レベルは、次第に上昇する。
【００７３】
ＮＯＴゲート３４〜３６は、電力の供給を受け始めた当初は不定な電圧を出力する特性を有している。このため、第１電源部９１から追加制御部３０への電力の供給が開始された当初は、ＮＯＴゲート３４〜３６から出力される不定な電圧によって、図３におけるＢ点の信号ＳＢの信号レベルと、図３におけるＣ点（ＮＡＮＤゲート３３におけるＲＣ回路３２の出力信号の入力部）の信号ＳＣの信号レベルは、瞬間的に上昇する。
【００７４】
これにより、ＮＡＮＤゲート３３にＮＯＴゲート３１の出力信号及びＲＣ回路３２の出力信号が入力されると（時刻ｔ２）、ＮＡＮＤゲート３３は、入力された信号が共にハイレベルではないので、ハイレベルの信号を出力すべく、出力信号の信号レベルを次第に上昇させる。これにより、図３に示すＤ点（ＮＡＮＤゲート３３の出力部）の信号ＳＤの信号レベルは、次第に上昇する。
【００７５】
その結果、ＮＡＮＤゲート３３の出力信号がローレベルを示さなくなるので、第２電源部９２は、商用交流電圧を用いて第２電源電圧Ｖ２の生成を開始する（時刻ｔ２）。これによって、第２電源部９１の出力電圧ＶＯ２は次第に上昇し、第２電源部９２から第２電源監視部２１及び第２制御部２０へ電力が供給される。第２制御部２０は、第２電源部９２から電力が供給されると、制御プログラムを不揮発性メモリーから読み出してＲＡＭに記憶し、初期状態になる。
【００７６】
その後、第１電源部９１の出力電圧ＶＯ１が第１電源電圧Ｖ１に安定すると（時刻ｔ３）、第１電源監視部１１は、ハイレベルのリセット信号ＲＳ１を出力する。これにより、第１制御部１０のリセットが解除され、第１制御部１０は、ＲＡＭに記憶された制御プログラムに従って動作する。
【００７７】
一方、ＮＯＴゲート３１は、入力されたハイレベルのリセット信号ＲＳ１を反転させてローレベルの信号を出力する。つまり、Ａ点の信号ＳＡの信号レベルは、ローレベルになる。ＮＯＴゲート３４は、ＮＯＴゲート３１の出力信号を反転させ、ハイレベルの信号を抵抗３７に出力する。これにより、抵抗３７の抵抗値とコンデンサー３８の静電容量によって定まる時定数に応じて、Ｂ点の信号ＳＢの信号レベルが滑らかに上昇する。
【００７８】
その後、Ｂ点の信号ＳＢの信号レベルが、ＮＯＴゲート３５において予め定められた高い側の閾値レベルＶｔｈよりも高くなると（時刻ｔ４）、ＮＯＴゲート３５は、ローレベルの信号を出力する。ＮＯＴゲート３６は、ＮＯＴゲート３５の出力信号を反転させ、ハイレベルの信号を出力する。つまり、Ｃ点の信号ＳＣの信号レベルは、ハイレベルになる。
【００７９】
その結果、ＮＡＮＤゲート３３に、ＮＯＴゲート３１から出力されたローレベルの信号（Ａ点の信号ＳＡ）とＲＣ回路３２から出力されたハイレベルの信号（Ｃ点の信号ＳＣ）とが入力される。ＮＡＮＤゲート３３は、入力された信号の一方がハイレベルではないので、ハイレベルの信号の出力を継続する。つまり、Ｄ点の信号ＳＤの信号レベルは、ハイレベルに維持される。第２電源部は、ＮＡＮＤゲート３３の出力信号がハイレベルを示しているので、第２電源電圧Ｖ２の生成動作を継続する。
【００８０】
その後、落雷等によって商用交流電源ＡＣからの商用交流電圧の供給が遮断された後、第１容量性負荷９１０に蓄電されていた電力が全て放電され、第１電源部９１の出力電圧ＶＯ１が第１電源電圧Ｖ１よりも低くなると（時刻ｔ５）、第１電源監視部１１は、ローレベルのリセット信号ＲＳ１を出力する。これにより、第１制御部１０はリセットされ、初期状態に戻る。
【００８１】
一方、ＮＯＴゲート３１は、ローレベルのリセット信号ＲＳ１を反転させてハイレベルの信号を出力する。つまり、Ａ点の信号ＳＡの信号レベルは、ハイレベルになる。ＮＯＴゲート３４は、ＮＯＴゲート３１の出力信号を反転させ、ローレベルの信号を抵抗３７に出力する。これにより、抵抗３７の抵抗値とコンデンサー３８の静電容量によって定まる時定数に応じて、Ｂ点の信号ＳＢの信号レベルが減衰する。
【００８２】
尚、この時定数は、時刻ｔ５から、第２容量性負荷９２０に蓄電された電力で第２制御部２０を動作させることが可能な時間として予め定められた制限時間ＴＬが経過する（時刻ｔ６）までの期間において、Ｂ点の信号ＳＢの信号レベルが、ＮＯＴゲート３５において予め定められた低い側の閾値レベルＶｔｌよりも低くならないように定められている。そのため、時刻ｔ５から時刻ｔ６までの期間において、ＮＯＴゲート３５は、ローレベルの信号の出力を継続する。ＮＯＴゲート３６も、ＮＯＴゲート３５の出力信号を反転させたハイレベルの信号の出力を継続する。つまり、時刻ｔ５から時刻ｔ６までの期間において、Ｃ点の信号ＳＣの信号レベルは、ハイレベルに維持される。
【００８３】
その結果、ＮＡＮＤゲート３３に、ＮＯＴゲート３１から出力されたハイレベルの信号（Ａ点の信号ＳＡ）とＲＣ回路３２から出力されたハイレベルの信号（Ｃ点の信号ＳＣ）とが入力される。ＮＡＮＤゲート３３は、入力された信号が共にハイレベルであるので、ローレベルの信号を出力する。つまり、時刻ｔ５から時刻ｔ６までの期間において、Ｄ点の信号ＳＤの信号レベルは、ローレベルに維持される。
【００８４】
時刻ｔ５において、ＮＡＮＤゲート３３の出力信号がローレベルになると、第２電源部９２は、停止する。このため、第２電源電圧Ｖ２が生成されなくなり、第２容量性負荷９２０（図２）に蓄電された電力が第２制御部２０及び第２電源監視部２１へ供給される。これにより、第２電源部９２の出力電圧ＶＯ２は次第に低下する。
【００８５】
このため、時刻ｔ６までに商用交流電源ＡＣからの商用交流電圧の供給が再開されたとしても、第２制御部２０は、第２電源電圧Ｖ２の供給を受けることなく、第２容量性負荷９２０に蓄電された電力のみで動作する。したがって、第２制御部２０は、時刻ｔ５から、第２容量性負荷９２０に蓄電された電力で第２制御部２０を動作させることが可能な時間として予め定められた制限時間ＴＬが経過した時刻ｔ６には、停止する。
【００８６】
ここで、上記と異なり、抵抗３７の抵抗値とコンデンサー３８の静電容量によって定まる時定数が、時刻ｔ５から時刻ｔ６までの期間において、Ｂ点の信号ＳＢの信号レベルをＮＯＴゲート３５において予め定められた低い側の閾値レベルＶｔｌ以下に減衰させるように定められている場合について考える。
【００８７】
この場合、時刻ｔ５から時刻ｔ６までの期間、Ｃ点の信号ＳＣの信号レベルがローレベルになり、Ｄ点の信号ＳＤの信号レベルがハイレベルになる。これにより、第２電源部９２が動作する。このため、時刻ｔ６になるまでに、商用交流電源ＡＣからの商用交流電圧の供給が再開されると、第２制御部２０へ第２電源電圧Ｖ２の供給が再開される。その結果、第１制御部１０は、時刻ｔ５においてリセットされたにもかかわらず、第２制御部２０は、第２電源電圧Ｖ２の供給を受けて動作を継続するので、第１制御部１０と第２制御部２０との間で動作に不整合が生じてしまう。
【００８８】
このような不整合が生じないように、上記時定数は、時刻ｔ５から時刻ｔ６までの期間において、Ｂ点の信号ＳＢの信号レベルが、ＮＯＴゲート３５において予め定められた低い側の閾値レベルＶｔｌよりも低くならないように定められている。
【００８９】
即ち、ＲＣ回路３２は、第１電源監視部１１がローレベルのリセット信号ＲＳ１を出力した時点（時刻ｔ５）から少なくとも制限時間ＴＬが経過する（時刻ｔ６）までの間、ＮＯＴゲート３１及びＮＯＴゲート３４を介して入力されたリセット信号ＲＳ１と同じローレベルの信号がハイレベルの状態を維持するように減衰させている。
【００９０】
時刻ｔ６になると、第１電源監視部１１は、ハイレベルのリセット信号ＲＳ１を出力し、第１制御部１０のリセットを解除させる。
【００９１】
一方、時刻ｔ６において、ＮＯＴゲート３１は、ハイレベルのリセット信号ＲＳ１を反転させてローレベルの信号を出力する。つまり、時刻ｔ６において、Ａ点の信号ＳＡの信号レベルは、ローレベルになる。ＮＯＴゲート３４は、ＮＯＴゲート３１の出力信号を反転させ、ハイレベルの信号を抵抗３７に出力する。これにより、Ｂ点の信号ＳＢの信号レベルは、ＮＯＴゲート３５において予め定められた低い側の閾値レベルＶｔｌよりも高いレベルから、抵抗３７の抵抗値とコンデンサー３８の静電容量によって定まる時定数に応じて滑らかに上昇する。
【００９２】
Ｂ点の信号ＳＢの信号レベルは、ＮＯＴゲート３５において予め定められた低い側の閾値レベルＶｔｌよりも低くないので、ＮＯＴゲート３５は、ローレベルの信号の出力を継続する。ＮＯＴゲート３６も、ＮＯＴゲート３５の出力信号を反転させたハイレベルの信号の出力を継続する。つまり、Ｃ点の信号ＳＣの信号レベルは、ハイレベルに維持される。
【００９３】
その結果、時刻ｔ６になると、ＮＡＮＤゲート３３に、ＮＯＴゲート３１から出力されたローレベルの信号（Ａ点の信号ＳＡ）とＲＣ回路３２から出力されたハイレベルの信号（Ｃ点の信号ＳＣ）とが入力される。ＮＡＮＤゲート３３は、入力された信号の一方がハイレベルではないので、ハイレベルの信号を出力する。つまり、時刻ｔ６になると、Ｄ点の信号ＳＤの信号レベルは、ハイレベルになる。これにより、第２電源部９２は、第２電源電圧Ｖ２の生成動作を再開する。その結果、第２電源部９２の出力電圧ＶＯ２は、次第に上昇する。
【００９４】
その後、商用交流電源ＡＣのメインスイッチがオフにされると（時刻ｔ７）、商用交流電源ＡＣから商用交流電圧の出力が停止され、商用交流電源ＡＣから出力される商用交流電圧の実効値は次第に下降する。これに合わせて、第１電源部９１の出力電圧ＶＯ１は次第に下降し、第２電源部９２の出力電圧ＶＯ２も次第に下降する。また、第１電源監視部１１、追加制御部３０、及び第１制御部１０は、それぞれ動作を停止するようになり、リセット信号ＲＳ１、Ａ点の信号ＳＡ、Ｂ点の信号ＳＢ、Ｃ点の信号ＳＣ、Ｄ点の信号ＳＣもそれぞれローレベルになる。
【００９５】
落雷等によって商用交流電圧の供給が遮断された場合、第１電源部９１は第１電源電圧Ｖ１を生成できなくなり、第１容量性負荷９１０に蓄電された電力で第１制御部１０を動作させることになる。同様に、第２電源部９２は第２電源電圧Ｖ２を生成できなくなり、第２容量性負荷９２０に蓄電された電力で第２制御部２０を動作させることになる。しかし、商用交流電圧の供給が遮断される期間によっては、当該遮断期間中に、第１容量性負荷９１０に蓄電された電力が全て放電され、第１制御部１０を動作させることができなくなる一方、第２容量性負荷９２０に蓄電された電力で第２制御部２０の動作を継続させることができる場合がある。
【００９６】
しかし、上記実施形態の構成によれば、商用交流電圧の供給が遮断され、第１電源部９１の出力電圧ＶＯ１が第１電源電圧Ｖ１よりも小さくなると、第１電源監視部１１によって第１制御部１０がリセットされる。また、第１制御部１０のリセットに合わせて、追加制御部３０によって第２電源部９２が停止される。つまり、第１制御部１０のリセット時点から制限時間ＴＬが経過するまでの間に商用交流電圧の供給が再開されたとしても、第２電源部９２を停止させて、第２電源電圧Ｖ２の生成動作を停止させることができる。
【００９７】
これによって、第１制御部１０のリセット時点から第２容量性負荷９２０に蓄電された電力で第２制御部２０を動作させることが可能な時間として予め定められた制限時間ＴＬが経過したときには、第２容量性負荷９２０に蓄電された電力で第２制御部２０を動作できないようにし、第２制御部２０を停止させることができる。
【００９８】
そして、第１制御部１０のリセット時点から制限時間ＴＬが経過したときには、第１電源監視部１１によって第１制御部１０のリセットが解除され、追加制御部３０によって第２電源部９２が動作される。このため、商用交流電圧の供給が再開されると、第１電源部９１は第１電源電圧Ｖ１を生成し、第２電源部９２は第２電源電圧Ｖ２を生成するので、第１制御部１０及び第２制御部２０は共に動作を開始することができる。このとき、第１制御部１０は、一旦リセットされた後に動作を開始し、第２制御部２０は、一旦停止した後に動作を開始することになる。
【００９９】
このように、上記実施形態の構成によれば、商用交流電圧の供給が遮断され、第１電源部９１の出力電圧ＶＯ１が第１電源電圧Ｖ１よりも小さくなると、第１制御部１０及び第２制御部２０を共にリセットした状態にすることができるので、その後、商用交流電圧の供給が再開され、第１制御部１０及び第２制御部２０が動作を開始したときに、第１制御部１０と第２制御部２０との間で動作に不整合が生じる虞を低減することができる。
【０１００】
また、上記実施形態の構成によれば、第１電源監視部１１がローレベルのリセット信号ＲＳ１を出力した時点から制限時間ＴＬが経過するまでの間、つまり、第１制御部１０がリセットされた時点から、第２制御部２０が停止すると考えられるまでの期間、ＲＣ回路３２により、追加制御部３０に入力されたローレベルのリセット信号ＲＳ１がハイレベルの状態を維持するように減衰される。このため、当該期間中は、ＮＯＴゲート３１から出力されるリセット信号ＲＳ１を反転したローレベルの信号と、ＲＣ回路３２から出力されるハイレベルの信号とが、ＮＡＮＤゲート３３に入力される。これにより、当該期間中は、ＮＡＮＤゲート３３によってローレベルの信号が第２電源部９２へ出力されることとなる。その結果、当該期間中、第２電源部９２を停止させることができる。
【０１０１】
したがって、当該期間中に商用交流電圧の供給が再開されたとしても、第２電源部９２を停止させて、第２電源電圧Ｖ２の生成動作を停止させることができる。これによって、当該期間が経過したときには、第２容量性負荷９２０に蓄電された電力で第２制御部２０を動作できないようにし、第２制御部２０を停止させることができる。つまり、当該期間が経過したときに第１制御部１０及び第２制御部２０を共にリセットした状態にすることができる。
【０１０２】
また、上記実施形態の構成によれば、ＮＯＴゲート３１とＲＣ回路３２とＮＡＮＤゲート３３とを備えて、追加制御部３０を簡素化して構成することができるので、追加制御部３０を構成するのに要するコストを低減することができる。
【０１０３】
また、上記実施形態の構成によれば、コントロール信号ＣＴＬ及びＮＡＮＤゲート３３の出力信号のうち、何れか一方の信号を用いて、第２電源部９２を停止させることができる。このため、商用交流電圧の供給が遮断されていず、第１電源部９１から第１電源電圧Ｖ１が出力されている場合に、第１制御部１０は、ローレベルのコントロール信号ＣＴＬを出力することにより、第２電源部９２を停止させることができる。したがって、例えば、第２制御部２０を動作させる必要がないときに、第１制御部１０によって第２電源部９２を停止させることにより、第２電源部９２における消費電力を低減することができる。
【０１０４】
尚、上記実施形態において図１乃至図４に示した構成は単なる一例に過ぎず、本発明を当該実施形態に限定する趣旨ではない。
【０１０５】
例えば、ＮＯＴゲート３４を備えず、リセット信号ＲＳ１が抵抗３７に直接入力されるように配線して、ＲＣ回路３２を簡素化して構成してもよい。
【０１０６】
また、ＮＯＴゲート３４〜３６を備えず、リセット信号ＲＳ１が抵抗３７に直接入力されるように配線して、ＲＣ回路３２を更に簡素化して構成してもよい。ただし、この構成では、抵抗３７の抵抗値とコンデンサー３８の静電容量によって定まる時定数は、上記図４に示す時刻ｔ５〜ｔ６の期間において、Ｂ点の信号ＳＢの信号レベルが減衰することによって、ＮＡＮＤゲート３８におけるハイレベルの入力信号として予め定められた信号レベルよりも低くならないように定めることが好ましい。
【０１０７】
また、追加制御部３０を、第１制御部１０や第２制御部２０と同様に、ＣＰＵと、所定の制御プログラムが記憶された不揮発性メモリーと、ＲＡＭと、これらの周辺回路を備えるように構成してもよい。そして、当該不揮発性メモリーに記憶された制御プログラムをＣＰＵにより実行させることにより、ローレベルのリセット信号ＲＳ１が入力されたときに、ローレベルのコントロール信号ＣＴＬを出力し、ハイレベルのリセット信号ＲＳ１が入力されたときに、ハイレベルのコントロール信号ＣＴＬを出力するように構成してもよい。
【０１０８】
また、第１制御部１０は、コントロール信号ＣＴＬを出力しないように簡素化して構成してもよい。
【０１０９】
また、本発明に係る電源装置は、上記プリンター１等の画像形成装置に搭載されるものに限られず、他の電子機器、例えば、スキャナー装置、パーソナルコンピューター、携帯電話、電子レンジ、洗濯機、カーナビゲーション装置、ゲーム機等、あらゆる電子機器に適用が可能である。
【符号の説明】
【０１１０】
１  プリンター（画像形成装置）
１０  第１制御部
１１  第１電源監視部
２０  第２制御部
２１  第２電源監視部
３０  追加制御部
３１  ＮＯＴゲート
３２  ＲＣ回路
３３  ＮＡＮＤゲート
３７  抵抗
３８  コンデンサー
８０  画像形成部
９０  電源装置
９１  第１電源部
９２  第２電源部
９１０  第１容量性負荷
９２０  第２容量性負荷
ＡＣ  商用交流電源
ＲＳ１  リセット信号
Ｖ１  第１電源電圧
Ｖ２  第２電源電圧
ＶＯ１  第１電源部の出力電圧
ＶＯ２  第２電源部の出力電圧
【図１】
0005982329.tif 000002
【図２】
0005982329.tif 000003
【図３】
0005982329.tif 000004
【図４】
0005982329.tif 000005
【図５】
0005982329.tif 000006
【図６】
0005982329.tif 000007